(57)【要約】      （修正有）【課題】プラグ端子に及ぼされる全体的な接触圧力を低減させるレセプタクル端子を提供する。【解決手段】レセプタクル端子１００の各弾性アーム（１２１，１２２，１２３）は、レセプタクル端子１００に挿入されたプラグ端子に接触するのに好適なコンタクト部分（１２１ａ，１２２ａ，１２３ａ）を有する。３対の弾性アーム（１２１，１２２，１２３）のうちの中央の対のコンタクト部分１２２ａからベース部分１１０までの距離は、その他の２対の弾性アーム（１２１，１２３）のコンタクト部分（１２１ａ，１２３ａ）からベース部分１１０までの距離より小さい。したがって、外側の２対の弾性アーム（１２１，１２３）によってプラグ端子に及ぼされる接触圧力はより小さくなり、それによってレセプタクル端子１００によってプラグ端子に及ぼされる全体的な接触圧力を低減させ、レセプタクル端子１００へのプラグ端子の挿入を容易にする。【選択図】図１
2020136274.tif 000002
【特許請求の範囲】
【請求項１】
横断方向（Ｘ）および長手方向（Ｙ）を有する板状の形態にあるベース部分（１１０）
を備えるレセプタクル端子であって、
前記レセプタクル端子（１００）は、前記ベース部分（１１０）の前記長手方向（Ｙ）に順に配置されて互いに隔置された３対の弾性アーム（１２１、１２２、１２３）をさらに備え、前記３対の弾性アーム（１２１、１２２、１２３）がそれぞれ、前記レセプタクル端子（１００）に挿入されたプラグ端子（２００）に接触するためのコンタクト部分（１２１ａ、１２２ａ、１２３ａ）を有し、
前記３対の弾性アーム（１２１、１２２、１２３）のうちの中央の対の弾性アーム（１２２）の前記コンタクト部分（１２２ａ）から前記ベース部分（１１０）までの距離（Ｈ２）は、その他の２対の弾性アーム（１２１、１２３）の前記コンタクト部分（１２１ａ、１２３ａ）から前記ベース部分（１１０）までの距離（Ｈ１）より小さい、レセプタクル端子。
【請求項２】
前記３対の弾性アーム（１２１、１２２、１２３）は、１対の第１の弾性アーム（１２１）、１対の第２の弾性アーム（１２２）、および１対の第３の弾性アーム（１２３）を含み、前記１対の第２の弾性アーム（１２２）は、前記１対の第１の弾性アーム（１２１）と前記１対の第３の弾性アーム（１２３）との間に位置する、
請求項１に記載のレセプタクル端子。
【請求項３】
前記第１の弾性アーム（１２１）および前記第３の弾性アーム（１２３）の前記コンタクト部分（１２１ａ、１２３ａ）から前記ベース部分（１１０）までの前記距離（Ｈ１）は、前記レセプタクル端子（１００）に挿入された前記プラグ端子（２００）の舌部の厚さよりわずかに小さい、
請求項２に記載のレセプタクル端子。
【請求項４】
前記第１の弾性アーム（１２１）の前記コンタクト部分（１２１ａ）から前記ベース部分（１１０）までの前記距離（Ｈ１）は、前記第３の弾性アーム（１２３）の前記コンタクト部分（１２３ａ）から前記ベース部分（１１０）までの前記距離（Ｈ１）に等しい、
請求項２に記載のレセプタクル端子。
【請求項５】
前記第２の弾性アーム（１２２）の前記コンタクト部分（１２２ａ）から前記ベース部分（１１０）までの前記距離（Ｈ２）は、前記第１の弾性アーム（１２１）および前記第３の弾性アーム（１２３）の前記コンタクト部分（１２１ａ、１２３ａ）から前記ベース部分（１１０）までの前記距離（Ｈ１）の０．７〜０．９倍に等しい、
請求項４に記載のレセプタクル端子。
【請求項６】
前記ベース部分（１１０）の前記長手方向（Ｙ）における前記第２の弾性アーム（１２２）の幅は、前記ベース部分（１１０）の前記長手方向（Ｙ）における前記第１の弾性アーム（１２１）の幅および前記第３の弾性アーム（１２３）の幅より大きい、
請求項２に記載のレセプタクル端子。
【請求項７】
前記１対の第１の弾性アーム（１２１）は、前記横断方向（Ｘ）に前記ベース部分（１１０）の両側に対称に配置され、それぞれ前記横断方向（Ｘ）に前記ベース部分（１１０）の２つの側部のそれぞれに接続されている、
請求項２に記載のレセプタクル端子。
【請求項８】
前記１対の第２の弾性アーム（１２２）は、前記横断方向（Ｘ）に前記ベース部分（１１０）の両側に対称に配置され、それぞれ前記横断方向（Ｘ）に前記ベース部分（１１０）の２つの側部のそれぞれに接続されている、
請求項７に記載のレセプタクル端子。
【請求項９】
前記１対の第３の弾性アーム（１２３）は、前記横断方向（Ｘ）に前記ベース部分（１１０）の両側に対称に配置され、それぞれ前記横断方向（Ｘ）に前記ベース部分（１１０）の２つの側部のそれぞれに接続されている、
請求項８に記載のレセプタクル端子。
【請求項１０】
前記１対の第１の弾性アーム（１２１）および前記１対の第２の弾性アーム（１２２）は、前記ベース部分（１１０）の前記長手方向（Ｙ）に隔置され、
前記１対の第２の弾性アーム（１２２）および前記１対の第３の弾性アーム（１２３）は、前記ベース部分（１１０）の前記長手方向（Ｙ）に隔置されている、
請求項２に記載のレセプタクル端子。
【請求項１１】
前記第１の弾性アーム（１２１）、前記第２の弾性アーム（１２２）、および前記第３の弾性アーム（１２３）は、それぞれ前記ベース部分（１１０）の両側から内方へ弧状に湾曲している、
請求項２に記載のレセプタクル端子。
【請求項１２】
前記プラグ端子（２００）が前記レセプタクル端子（１００）に挿入されたとき、前記プラグ端子（２００）は、前記第１の弾性アーム（１２１）、前記第２の弾性アーム（１２２）、および前記第３の弾性アーム（１２３）と前記ベース部分（１１０）との間に締め付けられている、
請求項２に記載のレセプタクル端子。
【請求項１３】
前記プラグ端子（２００）が前記レセプタクル端子（１００）に挿入されたとき、前記第２の弾性アーム（１２２）によって前記プラグ端子（２００）に及ぼされる押圧力は、前記第１の弾性アーム（１２１）および前記第３の弾性アーム（１２３）によって前記プラグ端子（２００）に及ぼされる押圧力の和より大きい、
請求項１２に記載のレセプタクル端子。
【請求項１４】
前記プラグ端子（２００）が前記レセプタクル端子（１００）に挿入されたとき、前記第１の弾性アーム（１２１）の前記コンタクト部分（１２１ａ）および前記第３の弾性アーム（１２３）の前記コンタクト部分（１２３ａ）は、それぞれ前記プラグ端子（２００）の後端および前端に当接して、前記プラグ端子（２００）の前記後端および前記前端が上方へ動くことを防止する、
請求項１２に記載のレセプタクル端子。
【請求項１５】
前記レセプタクル端子（１００）は、前記長手方向（Ｙ）に前記ベース部分（１１０）の後端に接続された押圧接続部（１３１、１３２）をさらに備え、前記押圧接続部（１３１、１３２）は、伝導ワイヤに押圧して接続するように構成されている、
請求項１に記載のレセプタクル端子。
【請求項１６】
前記押圧接続部（１３１、１３２）は、前記伝導ワイヤの導体に押圧して接続するように構成された第１の押圧接続部（１３１）と、前記伝導ワイヤの外側クラッドに押圧するための第２の押圧接続部（１３２）とを含む、
請求項１５に記載のレセプタクル端子。
【請求項１７】
横断方向（Ｘ）および長手方向（Ｙ）を有する板状の形態にあるベース部分（１１０）
を備えるレセプタクル端子であって、
前記レセプタクル端子（１００）は、前記ベース部分（１１０）の前記長手方向（Ｙ）に順に配置されて互いに隔置された少なくとも２対の弾性アーム（１２１、１２２、１２３）をさらに備え、前記少なくとも２対の弾性アーム（１２１、１２２、１２３）はそれぞれ、前記レセプタクル端子（１００）に挿入されたプラグ端子（２００）に接触するためのコンタクト部分（１２１ａ、１２２ａ、１２３ａ）を有し、
前記少なくとも２対の弾性アーム（１２１、１２２、１２３）のうちの１対の弾性アーム（１２２）の前記コンタクト部分（１２２ａ）から前記ベース部分（１１０）までの距離（Ｈ２）は、その他の対の弾性アーム（１２１、１２３）の前記コンタクト部分（１２１ａ、１２３ａ）から前記ベース部分（１１０）までの距離（Ｈ１）より小さい、レセプタクル端子。
【発明の詳細な説明】
【技術分野】
【０００１】
関連出願の相互参照
本出願は、開示全体が参照により本明細書に組み込まれている、２０１９年２月１８日に中国国家知識産権局に出願された中国特許出願第２０１９２０２１０９７９．３号の利益を主張する。
【０００２】
本開示は、一般に、電気的接続の分野に関し、詳細にはレセプタクル端子に関する。
【背景技術】
【０００３】
従来技術では、レセプタクル端子は通常、板状のベース部分と、板状のベース部分の両側に接続された１対の弾性アームとを備える。従来技術では、弾性アームは単一の一体化された湾曲型の構成要素であり、これは弾性アームがより大きい全体的な剛性を有することを意味する。したがって、プラグ端子がレセプタクル端子に挿入されたとき、弾性アームによってプラグ端子に及ぼされる接触圧力が大きすぎ、その結果、プラグ端子を挿入するための挿入力が過剰になり、プラグ端子の挿入動作が非常に困難になる。
【発明の概要】
【発明が解決しようとする課題】
【０００４】
本開示の目的は、従来技術における上記その他の問題および欠陥の少なくとも１つの態様を解決することである。
【課題を解決するための手段】
【０００５】
本開示の一態様によれば、横断方向および長手方向を有する板状の形態にあるベース部分を備えるレセプタクル端子が提供される。レセプタクル端子は、ベース部分の長手方向に順に配置されて互いに隔置された３対の弾性アームをさらに備え、各弾性アームは、レセプタクル端子に挿入されたプラグ端子に接触するのに好適なコンタクト部分を有する。３対の弾性アームのうちの中央の対の弾性アームのコンタクト部分からベース部分までの距離は、その他の２対の弾性アームのコンタクト部分からベース部分までの距離より小さい。
【０００６】
本開示の例示的な実施形態によれば、３対の弾性アームは、１対の第１の弾性アーム、１対の第２の弾性アーム、および１対の第３の弾性アームを含む。１対の第２の弾性アームは、１対の第１の弾性アームと１対の第３の弾性アームとの間に位置する。
【０００７】
本開示の別の例示的な実施形態によれば、第１の弾性アームおよび第３の弾性アームのコンタクト部分からベース部分までの距離は、レセプタクル端子に挿入されたプラグ端子の舌部の厚さよりわずかに小さい。
【０００８】
本開示の別の例示的な実施形態によれば、第１の弾性アームのコンタクト部分からベース部分までの距離は、第３の弾性アームのコンタクト部分からベース部分までの距離に等しい。
【０００９】
本開示の別の例示的な実施形態によれば、第２の弾性アームのコンタクト部分からベース部分までの距離は、第１の弾性アームおよび第３の弾性アームのコンタクト部分からベース部分までの距離の０．７〜０．９倍に等しい。
【００１０】
本開示の別の例示的な実施形態によれば、ベース部分の長手方向における第２の弾性アームの幅は、ベース部分の長手方向における第１の弾性アームの幅および第３の弾性アームの幅より大きい。
【００１１】
本開示の別の例示的な実施形態によれば、１対の第１の弾性アームは、横断方向にベース部分の両側に対称に配置され、それぞれ横断方向にベース部分の２つの側部のそれぞれに接続されている。
【００１２】
本開示の別の例示的な実施形態によれば、１対の第２の弾性アームは、横断方向にベース部分の両側に対称に配置され、それぞれ横断方向にベース部分の２つの側部のそれぞれに接続されている。
【００１３】
本開示の別の例示的な実施形態によれば、１対の第３の弾性アームは、横断方向にベース部分の両側に対称に配置され、それぞれ横断方向にベース部分の２つの側部のそれぞれに接続されている。
【００１４】
本開示の別の例示的な実施形態によれば、１対の第１の弾性アームおよび１対の第２の弾性アームは、ベース部分の長手方向に隔置され、１対の第２の弾性アームおよび１対の第３の弾性アームは、ベース部分の長手方向に隔置されている。
【００１５】
本開示の別の例示的な実施形態によれば、第１の弾性アーム、第２の弾性アーム、および第３の弾性アームは、それぞれベース部分の両側から内方へ弧状に湾曲している。
【００１６】
本開示の別の例示的な実施形態によれば、プラグ端子がレセプタクル端子に挿入されたとき、プラグ端子は、第１の弾性アーム、第２の弾性アーム、および第３の弾性アームとベース部分との間に締め付けられている。
【００１７】
本開示の別の例示的な実施形態によれば、プラグ端子がレセプタクル端子に挿入されたとき、第２の弾性アームによってプラグ端子に及ぼされる押圧力は、第１の弾性アームおよび第３の弾性アームによってプラグ端子に及ぼされる押圧力の和より大きい。
【００１８】
本開示の別の例示的な実施形態によれば、プラグ端子がレセプタクル端子に挿入されたとき、第１の弾性アームのコンタクト部分および第３の弾性アームのコンタクト部分は、それぞれプラグ端子の後端および前端に当接して、プラグ端子の後端および前端が上方へ動くことを防止する。
【００１９】
本開示の別の例示的な実施形態によれば、レセプタクル端子は、長手方向にベース部分の後端に接続された押圧接続部をさらに備え、押圧接続部は、伝導ワイヤに押圧して接続するように適合されている。
【００２０】
本開示の別の例示的な実施形態によれば、押圧接続部は、伝導ワイヤの導体に押圧して接続するのに好適な第１の押圧接続部と、伝導ワイヤの外側クラッドに押圧するのに好適な第２の押圧接続部とを含む。
【００２１】
本開示の別の態様によれば、横断方向および長手方向を有する板状の形態にあるベース部分を備えるレセプタクル端子がさらに提供される。レセプタクル端子は、ベース部分の長手方向に順に配置されて互いに隔置された少なくとも２対の弾性アームをさらに備え、各弾性アームは、レセプタクル端子に挿入されたプラグ端子に接触するためのコンタクト部分を有する。少なくとも２対の弾性アームのうちの１対の弾性アームのコンタクト部分からベース部分までの距離は、その他の対の弾性アームのコンタクト部分からベース部分までの距離より小さい。
【００２２】
本開示の例示的な実施形態では、レセプタクル端子は、互いに分離された３対の弾性アームを含み、中央の対の弾性アームのコンタクト部分からベース部分までの距離は、外側の２対の弾性アームのコンタクト部分からベース部分までの距離より小さい。したがって、外側の２対の弾性アームによってプラグ端子に及ぼされる接触圧力はより小さくなり、それによってレセプタクル端子によってプラグ端子に及ぼされる全体的な接触圧力を低減させ、レセプタクル端子へのプラグ端子の挿入を容易にする。
【００２３】
添付の図面を参照する本開示の以下の説明を通して、本開示の他の目的および利点が明らかになり、本開示の包括的な理解に到達するのに有用である。
【図面の簡単な説明】
【００２４】
【図１】本開示の例示的な実施形態によるレセプタクル端子の概略斜視図である。
【図２】図１に示すレセプタクル端子の縦断面図である。
【図３】プラグ端子が挿入された図２に示すレセプタクル端子の概略図である。
【発明を実施するための形態】
【００２５】
本開示の技術的な解決策について、添付の図面とともに実施形態を通して詳細に説明する。本説明では、同じまたは類似の参照番号は、同じまたは類似の構成要素を指す。図面を参照する本開示の実施形態の以下の説明は、本開示の一般概念について説明することを意図したものであり、本開示に対する限定であると解釈されるべきではない。
【００２６】
さらに、以下の詳細な説明では、説明を容易にする目的で、本開示の実施形態の包括的な理解を提供するために、多くの具体的な詳細について記載する。しかし、これらの具体的な詳細がなくても１つまたは複数の実施形態を実践することができることは明らかである。他の場合、図面を簡略化するために、よく知られている構造およびデバイスは概略的に示す。
【００２７】
本開示の技術的な一般概念によれば、横断方向および長手方向を有する板状の形態にあるベース部分を備えるレセプタクル端子が提供される。レセプタクル端子は、ベース部分の長手方向に順に配置されて互いに隔置された３対の弾性アームをさらに備え、各弾性アームは、レセプタクル端子に挿入されたプラグ端子に接触するのに好適なコンタクト部分を有する。３対の弾性アームのうちの中央の対のコンタクト部分からベース部分までの距離は、その他の２対の弾性アームのコンタクト部分からベース部分までの距離より小さい。
【００２８】
本開示の別の技術的な一般概念によれば、横断方向および長手方向を有する板状の形態にあるベース部分を備えるレセプタクル端子が提供される。レセプタクル端子は、ベース部分の長手方向に順に配置されて互いに隔置された少なくとも２対の弾性アームをさらに備え、各弾性アームは、レセプタクル端子に挿入されたプラグ端子に接触するのに好適なコンタクト部分を有する。少なくとも２対の弾性アームのうちの１対のコンタクト部分からベース部分までの距離は、その他の対の弾性アームのコンタクト部分からベース部分までの距離より小さい。
【００２９】
図１は、本開示の例示的な実施形態によるレセプタクル端子１００の斜視概略図を示し、図２は、図１に示すレセプタクル端子１００の縦断面図を示し、図３は、プラグ端子２００が挿入された図２に示すレセプタクル端子１００の概略図である。
【００３０】
図１〜図３に示すように、図示の実施形態では、レセプタクル端子１００は主として、ベース部分１１０および３対の弾性アーム１２１、１２２、および１２３を備える。ベース部分１１０は、横断方向Ｘおよび長手方向Ｙを有する板状である。３対の弾性アーム１２１、１２２、および１２３は、ベース部分１１０の長手方向Ｙに順に配置されて互いに離れている。
【００３１】
図示の実施形態では、図１〜図３に示すように、弾性アーム１２１、１２２、１２３はそれぞれ、レセプタクル端子１００に挿入されたプラグ端子２００に接触するのに好適なコンタクト部分１２１ａ、１２２ａ、１２３ａを有する。３対の弾性アーム１２１、１２２、および１２３のうちの中央の対の弾性アーム１２２のコンタクト部分１２２ａからベース部分１１０までの距離Ｈ２は、他の２対の弾性アーム１２１、１２３のコンタクト部分１２１ａ、１２３ａからベース部分１１０までの距離Ｈ１より小さい。
【００３２】
したがって、プラグ端子２００がレセプタクル端子１００に挿入されたとき、中央の対の弾性アーム１２２の弾性変形量は、他の２対の弾性アーム１２１、１２３の弾性変形量より大きくなる。したがって、外側の２対の弾性アーム１２１、１２３によってプラグ端子２００に及ぼされる接触圧力はより小さくなり、それによってレセプタクル端子１００によってプラグ端子２００に及ぼされる全体的な接触圧力を低減させ、レセプタクル端子１００へのプラグ端子２００の挿入を容易にする。
【００３３】
図示の実施形態では、図１〜図３に示すように、３対の弾性アーム１２１、１２２、１２３は、１対の第１の弾性アーム１２１、１対の第２の弾性アーム１２２、および１対の第３の弾性アーム１２３を含む。１対の第２の弾性アーム１２２（すなわち、中央の対の弾性アーム１２２）は、１対の第１の弾性アーム１２１と１対の第３の弾性アーム１２３との間に位置する。第１の弾性アーム１２１のコンタクト部分１２１ａからベース部分１１０までの距離Ｈ１は、第３の弾性アーム１２３のコンタクト部分１２３ａからベース部分１１０までの距離Ｈ１に等しい。
【００３４】
例示的な実施形態では、図１〜図３に示すように、第２の弾性アーム１２２のコンタクト部分１２２ａからベース部分１１０までの距離Ｈ２は、第１の弾性アーム１２１および第３の弾性アーム１２３のコンタクト部分１２１ａ、１２３ａからベース部分１１０までの距離Ｈ１の０．７〜０．９倍に等しい。
【００３５】
例示的な実施形態では、図１〜図３に示すように、第１の弾性アーム１２１および第３の弾性アーム１２３のコンタクト部分１２１ａ、１２３ａからベース部分１１０までの距離Ｈ１は、レセプタクル端子１００に挿入されたプラグ端子２００の舌部の厚さよりわずかに小さい。したがって、プラグ端子２００がレセプタクル端子１００に挿入されたとき、第１の弾性アーム１２１および第３の弾性アーム１２３によってプラグ端子２００に及ぼされる接触圧力はほぼゼロになる。
【００３６】
図示の実施形態では、図１〜図３に示すように、ベース部分１１０の長手方向Ｙにおける第２の弾性アーム１２２の幅は、ベース部分１１０の長手方向Ｙにおける第１の弾性アーム１２１の幅および第３の弾性アーム１２３の幅より大きい。
【００３７】
図示の実施形態では、図１〜図３に示すように、１対の第１の弾性アーム１２１は、横断方向Ｘにベース部分１１０の両側に対称に配置され、それぞれ横断方向Ｘにベース部分１１０の２つの側部に接続されている。１対の第２の弾性アーム１２２は、横断方向Ｘにベース部分１１０の両側に対称に配置され、それぞれ横断方向Ｘにベース部分１１０の２つの側部に接続されている。１対の第３の弾性アーム１２３は、横断方向Ｘにベース部分１１０の両側に対称に配置され、それぞれ横断方向Ｘにベース部分１１０の２つの側部に接続されている。
【００３８】
図示の実施形態では、図１〜図３に示すように、１対の第１の弾性アーム１２１および１対の第２の弾性アーム１２２は、ベース部分１１０の長手方向Ｙに隔置されている。１対の第２の弾性アーム１２２および１対の第３の弾性アーム１２３は、ベース部分１１０の長手方向Ｙに隔置されている。
【００３９】
図示の実施形態では、図１〜図３に示すように、第１の弾性アーム１２１、第２の弾性アーム１２２、および第３の弾性アーム１２３は、それぞれベース部分１１０の両側から内方へ弧状に屈曲している。
【００４０】
図示の実施形態では、図１〜図３に示すように、プラグ端子２００がレセプタクル端子１００に挿入されたとき、プラグ端子２００は、弾性アーム１２１、１２２、１２３とベース部分１１０との間に締め付けられている。
【００４１】
例示的な実施形態では、図１〜図３に示すように、プラグ端子２００がレセプタクル端子１００に挿入されたとき、第２の弾性アーム１２２によってプラグ端子２００に及ぼされる押圧力は、第１の弾性アーム１２１および第３の弾性アーム１２３によってプラグ端子２００に及ぼされる押圧力の和より大きい。
【００４２】
図示の実施形態では、図１〜図３に示すように、プラグ端子２００がレセプタクル端子１００に挿入されたとき、第１の弾性アーム１２１のコンタクト部分１２１ａおよび第３の弾性アーム１２３のコンタクト部分１２３ａは、それぞれプラグ端子２００の後端および前端に当接して、プラグ端子２００の後端および前端が上方へ動くことを防止する。このようにして、第１の弾性アーム１２１および第３の弾性アーム１２３は、プラグ端子２００がレセプタクル端子１００内で上下に揺れることを防止するための止め具として機能することができる。
【００４３】
図示の実施形態では、図１〜図３に示すように、レセプタクル端子１００は、長手方向Ｙにベース部分１１０の後端に接続された押圧接続部１３１および１３２をさらに備え、押圧接続部１３１および１３２は、伝導ワイヤ（図示せず）に押圧により接続するのに好適である。
【００４４】
図示の実施形態では、図１〜図３に示すように、押圧接続部１３１、１３２は、伝導ワイヤの導体に押圧して接続するのに好適な第１の押圧接続部１３１と、伝導ワイヤの外側クラッドに押圧するのに好適な第２の押圧接続部１３２とを含む。
【００４５】
図１〜図３に示すように、本開示の別の例示的な実施形態によれば、下記のレセプタクル端子も開示される。レセプタクル端子は、横断方向Ｘおよび長手方向Ｙを有する板状の形態にあるベース部分１１０を含む。レセプタクル端子１００は、ベース部分１１０の長手方向Ｙに順に配置されて互いに隔置された少なくとも２対の弾性アーム１２１、１２２、および１２３をさらに備える。各弾性アーム１２１、１２２、１２３は、レセプタクル端子１００に挿入されたプラグ端子２００に接触するのに好適なコンタクト部分１２１ａ、１２２ａ、１２３ａを有する。少なくとも２対の弾性アーム１２１、１２２、および１２３のうちの１対の弾性アーム１２２のコンタクト部分１２２ａからベース部分１１０までの距離Ｈ２は、他の弾性アーム１２１、１２３のコンタクト部分１２１ａ、１２３ａからベース部分１１０までの距離Ｈ１より小さい。
【００４６】
上述した実施形態はすべて例示的であり、当業者であれば改善することができることが、当業者には理解されよう。構造上または原理上矛盾することなく、様々な実施形態に記載した構造を自由に組み合わせることができる。
【００４７】
本開示について、添付の図面を参照して説明したが、図面に開示した実施形態は、本開示の好ましい実装を例示的に示すことを意図したものであり、本開示に対する限定であると理解することはできない。
【００４８】
本開示の一般概念のいくつかの実施形態について図示および説明したが、本開示の一般概念の原理および趣旨から逸脱することなく、これらの実施形態に修正を加えることができることが、当業者には理解されよう。本開示の範囲は、特許請求の範囲およびその均等物によって定義される。
【００４９】
「備える（ｃｏｍｐｒｉｓｅ）／含む（ｉｎｃｌｕｄｅ）」という単語は、追加の要素またはステップを除外せず、「ａ」または「ａｎ」という単語は、複数を除外しないことに留意されたい。さらに、特許請求の範囲におけるいかなる参照番号も、本開示の範囲を限定すると解釈されるべきではない。
【図１】
2020136274.tif 000003
【図２】
2020136274.tif 000004
【図３】
2020136274.tif 000005
【外国語明細書】
2020136274000001.pdf